(57)【要約】【課題】集積された鉄屑スクラップ体とされた当該鉄屑スクラップ体について取引を適切、迅速に行うことが出来、要する費用を安価で済み、鉄屑スクラップ回収業者と鉄屑スクラップを購入しようとする業者間の関係を開放的にして取引価格の安定化を図る。【解決手段】一番高額指値に基づいて、一番高額指値と同額を落札価格入札として落札情報を形成し、該落札情報に基づき、二番以下指値の落札希望価格を変更して同額の落札価格を設定し、鉄屑スクラップ形成体ごと等級ごとに当該落札価格で落札するかの判断を求めた画面をオークション応札側端末に画面表示させ、鉄屑スクラップ形成体ごと等級ごとに、該落札価格で、オークション総重量についてオークション成立が確認されたオークション成立総重量を算定し、画面表示させる。【選択図】図１
2014229257.tif 000002
【特許請求の範囲】
【請求項１】
回収された鉄屑スクラップについての鉄屑スクラップデータおよび鉄屑スクラップ回収・加工業者に関する会員登録データを管理する会員鉄屑スクラップ回収・加工業者データ管理手段、および会員鉄屑スクラップ回収・加工業者の回収した鉄屑スクラップを集積することで形成された鉄屑スクラップ体から、および回収された鉄屑スクラップが予め定められた規格サイズよりも大きい時に規格サイズよりも小さく加工されることで形成された鉄屑スクラップ体から形成され、オークション市場に提供される鉄屑スクラップ形成体および当該鉄屑スクラップ形成体に予め付与されたグレードを示す等級、および鉄屑スクラップ形成体ごと等級ごとのオークション提示鉄スクラップ形成体総重量を含むオークション提供情報を管理する会員オークション提供業者データ管理手段を備えたオークション提供端末、
鉄屑スクラップ形成体のオークション市場に参加してオークション応札するオークション応札業者のオークション応札状況を画面表示する会員オークション応札業者データ管理手段を備えたオークション応札端末、
オークションに応札するオークション応札業者に関する会員応札業者登録データを管理し、オークション市場に提供されたオークション提示側データおよびオークション市場に参加し、応札するオークション応札側データを管理し、および落札された時の落札値、落札したオークション応札者を含むオークション成立、および落札されなかった時のオークション不成立を情報含むオークション結果情報を管理するオークションデータ管理手段を備えたオークション管理端末、
が互いに通信手段を介して接続され、
オークションデータ管理端末が、
データベースに、廃品として回収された鉄屑スクラップの種類、鉄屑スクラップ種類ごとに分類された鉄屑スクラップ分類、鉄屑スクラップ分類ごとに予め設定された等級が格納させ、廃品として回収された鉄屑スクラップの種類、鉄屑スクラップ種類ごとに分類された鉄屑スクラップ分類、鉄屑スクラップ分類ごとに予め設定された等級が変更された時に、変更指示に基づいて変更された鉄屑スクラップの種類、鉄屑スクラップ分類、鉄屑スクラップ分類ごとに設定された等級をデータベースに格納し、
多数のオークション提供端末から、オークション提供情報を取得し、鉄屑スクラップ形成体ごと等級ごとに会員鉄屑スクラップ回収・加工業者から提供された鉄屑スクラップ形成体総重量を加算したオークション総重量を算定して、オークション応札端末に提供し、
鉄屑スクラップ形成体総重量を形成する複数の鉄屑スクラップ形成体ごと等級ごとから取得された１つの鉄屑スクラップ形成体および等級を決定し、決定した該等級の鉄屑スクラップ形成体について入札された該等級の鉄屑スクラップ形成体について提示されたその単位当たりの落札希望価格である一番高額指値を画面表示し、一番高額指値に基づいて、一番高額指値と同額を落札価格入札として落札情報を形成し、該落札情報に基づき、二番以下指値の落札希望価格を変更して同額の落札価格を設定し、鉄屑スクラップ形成体ごと等級ごとに当該落札価格で落札するかの判断を求めた画面をオークション応札側端末に画面表示させ、鉄屑スクラップ形成体ごと等級ごとに、該落札価格で、オークション総重量についてオークション成立が確認されたオークション成立総重量を算定し、あるいは不成立が確認されたオークション不成立オークション不成立総重量を算定して、算定されたオークション成立総重量あるいはオークション不成立層重量に基づき、提供されたオークション提供情報ごとのオークション成立総重量あるいはオークション不成立総重量をオークション結果データとして生成して、登録し、
オークション結果データを、オークション提供情報ごとに通信手段を介してオークション提供端末に通知すること
を特徴とする鉄屑スクラップオークション市場落札システム。
【請求項２】
請求項１に記載した鉄屑スクラップオークション市場落札システムにおいて、オークション提供端末が、鉄屑スクラップ回収・加工業者から提供された鉄屑スクラップ形成体ごとにオークション結果データを出力することを特徴とする鉄屑スクラップオークション市場落札システム。
【請求項３】
回収された鉄屑スクラップについての鉄屑スクラップデータおよび鉄屑スクラップ回収・加工業者に関する会員登録データを管理する会員鉄屑スクラップ回収・加工業者データ管理手段、および会員鉄屑スクラップ回収・加工業者の回収した鉄屑スクラップを集積することで形成される鉄屑スクラップ体から、および回収された鉄屑スクラップが予め定めた規格サイズよりも大きい時に規格サイズよりも小さく加工されることで形成される鉄屑スクラップ体から形成され、オークションに提供される鉄屑スクラップ形成体および当該鉄屑スクラップ形成体に付与された等級、および鉄スクラップ形成体ごと等級ごとのオークション提示鉄スクラップ形成体総重量を含むオークション提供情報を管理する会員オークション提供業者データ管理手段を備えたオークション提供端末、
鉄屑スクラップ形成体のオークション市場に参加してオークション応札するオークション応札業者のオークション応札状況を画面表示する会員オークション応札業者データ管理手段を備えたオークション応札端末、
オークションに応札するオークション応札業者に関する会員登録データを管理し、オークション市場に提供されたオークション提示側データおよびオークション市場に参加し、応札するオークション応札側データを管理し、および落札された時の落札値、落札したオークション応札者を含むオークション成立、および落札されなかった時のオークション不成立を情報含むオークション結果情報を管理するオークションデータ管理手段を備えたオークション管理端末、
が互いに通信手段を介して接続された鉄屑スクラップオークション市場落札システムに用いられるオークション管理端末において、
オークションデータ管理端末が、
データベースに、廃品として回収された鉄屑スクラップの種類、鉄屑スクラップ種類ごとに分類された鉄屑スクラップ分類、鉄屑スクラップ分類ごとに予め設定された等級が格納させ、廃品として回収された鉄屑スクラップの種類、鉄屑スクラップ種類ごとに分類された鉄屑スクラップ分類、鉄屑スクラップ分類ごとに予め設定された等級が変更された時に、変更指示に基づいて変更された鉄屑スクラップの種類、鉄屑スクラップ分類、鉄屑スクラップ分類ごとに設定された等級をデータベースに格納し、
多数のオークション提供端末から、オークション提供情報を取得し、鉄屑スクラップ形成体ごと等級ごとに会員鉄屑スクラップ回収・加工業者から提供された鉄屑スクラップ形成体総重量を加算したオークション総重量を算定して、オークション応札端末に提供し、  鉄屑スクラップ形成体総重量を形成する複数の鉄屑スクラップ形成体ごと等級ごとから取得された１つの鉄屑スクラップ形成体および等級を決定し、決定した該等級の鉄屑スクラップ形成体について入札された該等級の鉄屑スクラップ形成体について提示されたその単位当たりの落札希望価格である一番高額指値を画面表示し、一番高額指値に基づいて、一番高額指値と同額を落札価格入札として落札情報を形成し、該落札情報に基づき、二番以下指値の落札希望価格を変更して同額の落札価格を設定し、鉄屑スクラップ形成体ごと等級ごとに当該落札価格で落札するかの判断を求めた画面をオークション応札側端末に画面表示させ、鉄屑スクラップ形成体ごと等級ごとに、該落札価格で、オークション総重量についてオークション成立が確認されたオークション成立総重量を算定し、あるいは不成立が確認されたオークション不成立オークション不成立総重量を算定して、算定されたオークション成立総重量あるいはオークション不成立層重量に基づき、提供されたオークション提供情報ごとのオークション成立総重量あるいはオークション不成立総重量をオークション結果データとして生成して、登録し、
オークション結果データを、オークション提供情報ごとに通信手段を介してオークション提供端末に通知すること
を特徴とする鉄スクラップオークション市場落札システムに用いられるオークション管理端末。
【請求項４】
請求項３に記載したオークション管理端末おいて、オークション提供端末が、鉄屑スクラップ回収・加工業者から提供された鉄屑スクラップ形成体ごと等級ごとにオークション結果データを出力することを特徴とする鉄屑スクラップオークション市場落札システムに用いられるオークション管理端末。
【請求項５】
回収された鉄屑スクラップについての鉄屑スクラップデータおよび鉄屑スクラップ回収・加工業者に関する会員登録データを管理する会員鉄屑スクラップ回収・加工業者データ管理手段、および会員鉄屑スクラップ回収・加工業者の回収した鉄屑スクラップを集積することで形成された鉄屑スクラップ体から、および回収された鉄屑スクラップが予め定めた規格サイズよりも大きい時に規格サイズよりも小さく加工されることで形成された鉄屑スクラップ体からなり、オークション市場に提供される鉄屑スクラップ形成体および当該鉄屑スクラップ形成体に付与された等級、および鉄スクラップ形成体ごと等級ごとのオークション提示鉄スクラップ形成体総重量を含むオークション提供情報を管理する会員オークション提供業者データ管理手段を備えたオークション提供端末、
鉄スクラップ形成体のオークション市場に参加してオークション応札するオークション応札業者のオークション応札状況を画面表示する会員オークション応札業者データ管理手段を備えたオークション応札端末、
オークションに応札するオークション応札業者に関する会員登録応札業者データを管理し、オークション市場に提供されたオークション提示側データおよびオークション市場に参加し、応札するオークション応札側データを管理し、および落札された時の落札値、落札したオークション応札者を含むオークション成立、および落札されなかった時のオークション不成立を情報含むオークション結果情報を管理するオークションデータ管理手段を備えたオークション管理端末、
が互いに通信手段を介して接続された鉄屑スクラップオークション市場落札システムに用いられる鉄屑スクラップオークション市場落札方法において、
オークションデータ管理端末が、
データベースに、廃品として回収された鉄屑スクラップの種類、鉄屑スクラップ種類ごとに分類された鉄屑スクラップ分類、鉄屑スクラップ分類ごとに予め設定された等級が格納させ、廃品として回収された鉄屑スクラップの種類、鉄屑スクラップ種類ごとに分類された鉄屑スクラップ分類、鉄屑スクラップ分類ごとに予め設定された等級が変更された時に、変更指示に基づいて変更された鉄屑スクラップの種類、鉄屑スクラップ分類、鉄屑スクラップ分類ごとに設定された等級をデータベースに格納し、
多数のオークション提供端末から、オークション提供情報を取得し、鉄屑スクラップ形成体ごと等級ごとに会員鉄屑スクラップ回収・加工業者から提供された鉄屑スクラップ形成体総重量を加算したオークション総重量を算定して、オークション応札端末に提供し、  鉄屑スクラップ形成体総重量を形成する複数の鉄屑スクラップ形成体ごと等級ごとから取得された１つの鉄屑スクラップ形成体および等級を決定し、決定した該等級の鉄屑スクラップ形成体について入札された該等級の鉄屑スクラップ形成体について提示されたその単位当たりの落札希望価格である一番高額指値を画面表示し、一番高額指値に基づいて、一番高額指値と同額を落札価格入札として落札情報を形成し、該落札情報に基づき、二番以下指値の落札希望価格を変更して同額の落札価格を設定し、鉄屑スクラップ形成体ごと等級ごとに当該落札価格で落札するかの判断を求めた画面をオークション応札側端末に画面表示させ、鉄屑スクラップ形成体ごと等級ごとに、該落札価格で、オークション総重量についてオークション成立が確認されたオークション成立総重量を算定し、あるいは不成立が確認されたオークション不成立オークション不成立総重量を算定して、算定されたオークション成立総重量あるいはオークション不成立層重量に基づき、提供されたオークション提供情報ごとのオークション成立総重量あるいはオークション不成立総重量をオークション結果データとして生成して、登録し、
オークション結果データを、オークション提供情報ごとに通信手段を介してオークション提供端末に通知すること、を備えた
オークション市場落札システムに用いられる鉄屑スクラップオークション市場落札方法。
【請求項６】
請求項５に記載した鉄屑スクラップオークション市場落札方法において、オークション提供端末が、鉄屑スクラップ形成体ごと等級ごとにオークション結果データを出力することを特徴とする鉄屑スクラップオークション市場落札システムに用いられる鉄屑スクラップオークション市場落札方法。
【発明の詳細な説明】
【技術分野】
【０００１】
本発明は、鉄屑スクラップオークション市場落札システム、該システムで使用する装置および方法に関する。
【背景技術】
【０００２】
鉄屑スクラップ回収・加工業者によって回収された鉄屑スクラップは、集積され、測定された鉄屑スクラップの重量と鉄屑スクラップの種類とから鉄屑スクラップの価格が演算され、支払いがなされてきた。
【０００３】
鉄屑の回収については、インターネットの検索から分かるようにいくつもの鉄屑回収市場が紹介されている。インターネットの紹介されているように、鉄屑スクラップは、買取業者が予め定めた買取価格にて、例えば鉄屑スクラップ２８円/ｋｇのように設定されて来た。
【０００４】
一方、一般的なオークション市場に関しては、各種のオークション市場が特許文献に紹介されている。
【０００５】
特許文献１には、コンピュータを用いることによってシスマテイックに演算し、集計結果に基づく金銭を古紙回収業者に支払うようにした古紙回収システムが記載されている。
特許文献２には、逆オークションシステムが記載されている。
特許文献３には、オークションの運営効率を高める車両オークション支援システムおよび支援方法が記載されている。
特許文献４には、データベースにオークションにかけられるリサイククル商品情報が登録され、通信ネットワークを介してデータベース内容を公開することが記載されている。
【先行技術文献】
【特許文献】
【０００６】
【特許文献１】特公平５−２４４４６号公報
【特許文献２】特開２００９−８６７４３号公報
【特許文献３】特開２００２−２５９７４９号公報
【特許文献４】特開２００２−３４２６１２号公報
【発明の概要】
【発明が解決しようとする課題】
【０００７】
特許文献に記載されているようにリサイクル商品が集積され、作業がシステム化されることで、回収率が向上し、作業が機械化され、資源の再利用が促進され、公害の減少効果が達成されることが期待される。
【０００８】
しかしながら、鉄屑スクラップ分野ではオークション市場はなく、鉄屑スクラップ回収は、旧態然とした、回収・加工業者がコンピュータを用いて鉄屑スクラップ紙の重量と鉄屑スクラップの種類とから価格を演算し、集計された金銭を支払うものであって、鉄屑スクラップの再生のための物流から見ると、鉄屑スクラップ回収・加工業者への売り渡し価格、高炉メーカーへの引き渡し価格の形成関係が固定的で、閉鎖的であった。このような関係の状況下では鉄屑スクラップの再生リサイクル、更にはグローバル化には限界があり、鉄屑スクラップが貴重な再生資源として十分に活用されるには限界があった。
【０００９】
本発明は、かかる点に鑑みて集積されて鉄屑スクラップ体とされた当該鉄屑スクラップ形成体について取引を適切、迅速に行うことが出来、要する費用を安価で済み、鉄屑スクラップ回収・加工業者への売り渡し価格、高炉メーカーへの引き渡し価格の形成関係が固定的で、閉鎖的であっとことを変え、開放的にして取引価格の安定化を図り、鉄屑スクラップの再生を活発化し、貴重な資源を十分に活用出来るようにするオークション市場システムを構成することを目的とする。
【課題を解決するための手段】
【００１０】
本発明は、
回収された鉄屑スクラップについての鉄屑スクラップデータおよび鉄屑スクラップ回収・加工業者に関する会員登録データを管理する会員鉄屑スクラップ回収・加工業者データ管理手段、および会員鉄屑スクラップ回収・加工業者の回収した鉄屑スクラップを集積することで形成された鉄屑スクラップ体から、および回収された鉄屑スクラップが予め定められた規格サイズよりも大きい時に規格サイズよりも小さく加工されることで形成された鉄屑スクラップ体から形成され、オークション市場に提供される鉄屑スクラップ形成体および当該鉄屑スクラップ形成体に付与された等級、および鉄屑スクラップ形成体ごと等級ごとのオークション提示鉄スクラップ形成体総重量を含むオークション提供情報を管理する会員オークション提供業者データ管理手段を備えたオークション提供端末、
鉄屑スクラップ形成体のオークション市場に参加してオークション応札するオークション応札業者のオークション応札状況を画面表示する会員オークション応札業者データ管理手段を備えたオークション応札端末、
オークションに応札するオークション応札業者に関する会員応札業者登録データを管理し、オークション市場に提供されたオークション提示側データおよびオークション市場に参加し、応札するオークション応札側データを管理し、および落札された時の落札値、落札したオークション応札者を含むオークション成立、および落札されなかった時のオークション不成立を情報含むオークション結果情報を管理するオークションデータ管理手段を備えたオークション管理端末、
が互いに通信手段を介して接続され、
オークションデータ管理端末が、
データベースに、廃品として回収された鉄屑スクラップの種類、鉄屑スクラップ種類ごとに分類された鉄屑スクラップ分類、鉄屑スクラップ分類ごとに予め設定された等級が格納させ、廃品として回収された鉄屑スクラップの種類、鉄屑スクラップ種類ごとに分類された鉄屑スクラップ分類、鉄屑スクラップ分類ごとに予め設定された等級が変更された時に、変更指示に基づいて変更された鉄屑スクラップの種類、鉄屑スクラップ分類、鉄屑スクラップ分類ごとに設定された等級をデータベースに格納し、
多数のオークション提供端末から、オークション提供情報を取得し、鉄屑スクラップ形成体ごと等級ごとに会員鉄屑スクラップ回収・加工業者から提供された鉄屑スクラップ形成体総重量を加算したオークション総重量を算定して、オークション応札端末に提供し、
鉄屑スクラップ形成体総重量を形成する複数の鉄屑スクラップ形成体ごと等級ごとから取得された１つの鉄屑スクラップ形成体および等級を決定し、決定した該等級の鉄屑スクラップ形成体について入札された該等級の鉄屑スクラップ形成体について提示されたその単位当たりの落札希望価格である一番高額指値を画面表示し、一番高額指値に基づいて、一番高額指値と同額を落札価格入札として落札情報を形成し、該落札情報に基づき、二番以下指値の落札希望価格を変更して同額の落札価格を設定し、鉄屑スクラップ形成体ごと等級ごとに当該落札価格で落札するかの判断を求めた画面をオークション応札側端末に画面表示させ、鉄屑スクラップ形成体ごと等級ごとに、該落札価格で、オークション総重量についてオークション成立が確認されたオークション成立総重量を算定し、あるいは不成立が確認されたオークション不成立オークション不成立総重量を算定して、算定されたオークション成立総重量あるいはオークション不成立層重量に基づき、提供されたオークション提供情報ごとのオークション成立総重量あるいはオークション不成立総重量をオークション結果データとして生成して、登録し、
オークション結果データを、オークション提供情報ごとに通信手段を介してオークション提供端末に通知すること、
を特徴とする鉄屑スクラップオークション市場落札システムを提供する。
上述した鉄屑スクラップオークション市場落札システムにおいて、オークション提供端末が、鉄屑スクラップ回収・加工業者から提供された鉄屑スクラップ形成体ごとにオークション結果データを出力することを特徴とする鉄屑スクラップオークション市場落札システムを提供する。
【００１１】
回収された鉄屑スクラップについての鉄屑スクラップデータおよび鉄屑スクラップ回収・加工業者に関する会員登録データを管理する会員鉄屑スクラップ回収・加工業者データ管理手段、および会員鉄屑スクラップ回収・加工業者の回収した鉄屑スクラップを集積することで形成される鉄屑スクラップ体から、および回収された鉄屑スクラップが予め定めた規格サイズよりも大きい時に規格サイズよりも小さく加工されることで形成される鉄屑スクラップ体から形成され、オークションに提供される鉄屑スクラップ形成体および当該鉄屑スクラップ形成体に付与された等級、および鉄スクラップ形成体ごと等級ごとのオークション提示鉄スクラップ形成体総重量を含むオークション提供情報を管理する会員オークション提供業者データ管理手段を備えたオークション提供端末、
鉄屑スクラップ形成体のオークション市場に参加してオークション応札するオークション応札業者のオークション応札状況を画面表示する会員オークション応札業者データ管理手段を備えたオークション応札端末、
オークションに応札するオークション応札業者に関する会員登録データを管理し、オークション市場に提供されたオークション提示側データおよびオークション市場に参加し、応札するオークション応札側データを管理し、および落札された時の落札値、落札したオークション応札者を含むオークション成立、および落札されなかった時のオークション不成立を情報含むオークション結果情報を管理するオークションデータ管理手段を備えたオークション管理端末、
が互いに通信手段を介して接続された鉄屑スクラップオークション市場落札システムに用いられるオークション管理端末において、
オークションデータ管理端末が、
データベースに、廃品として回収された鉄屑スクラップの種類、鉄屑スクラップ種類ごとに分類された鉄屑スクラップ分類、鉄屑スクラップ分類ごとに予め設定された等級が格納させ、廃品として回収された鉄屑スクラップの種類、鉄屑スクラップ種類ごとに分類された鉄屑スクラップ分類、鉄屑スクラップ分類ごとに予め設定された等級が変更された時に、変更指示に基づいて変更された鉄屑スクラップの種類、鉄屑スクラップ分類、鉄屑スクラップ分類ごとに設定された等級をデータベースに格納し、
多数のオークション提供端末から、オークション提供情報を取得し、鉄屑スクラップ形成体ごと等級ごとに会員鉄屑スクラップ回収・加工業者から提供された鉄屑スクラップ形成体総重量を加算したオークション総重量を算定して、オークション応札端末に提供し、  鉄屑スクラップ形成体総重量を形成する複数の鉄屑スクラップ形成体ごと等級ごとから取得された１つの鉄屑スクラップ形成体および等級を決定し、決定した該等級の鉄屑スクラップ形成体について入札された該等級の鉄屑スクラップ形成体について提示されたその単位当たりの落札希望価格である一番高額指値を画面表示し、一番高額指値に基づいて、一番高額指値と同額を落札価格入札として落札情報を形成し、該落札情報に基づき、二番以下指値の落札希望価格を変更して同額の落札価格を設定し、鉄屑スクラップ形成体ごと等級ごとに当該落札価格で落札するかの判断を求めた画面をオークション応札側端末に画面表示させ、鉄屑スクラップ形成体ごと等級ごとに、該落札価格で、オークション総重量についてオークション成立が確認されたオークション成立総重量を算定し、あるいは不成立が確認されたオークション不成立オークション不成立総重量を算定して、算定されたオークション成立総重量あるいはオークション不成立層重量に基づき、提供されたオークション提供情報ごとのオークション成立総重量あるいはオークション不成立総重量をオークション結果データとして生成して、登録し、
オークション結果データを、オークション提供情報ごとに通信手段を介してオークション提供端末に通知すること、
を特徴とする鉄スクラップオークション市場落札システムに用いられるオークション管理端末を提供する。
鉄スクラップオークション市場落札システムに用いられるオークション管理端末において、オークション提供端末が、鉄屑スクラップ回収・加工業者から提供された鉄屑スクラップ形成体ごと等級ごとにオークション結果データを出力することを特徴とする鉄屑スクラップオークション市場落札システムに用いられるオークション管理端末を提供する。
【００１２】
回収された鉄屑スクラップについての鉄屑スクラップデータおよび鉄屑スクラップ回収・加工業者に関する会員登録データを管理する会員鉄屑スクラップ回収・加工業者データ管理手段、および会員鉄屑スクラップ回収・加工業者の回収した鉄屑スクラップを集積することで形成された鉄屑スクラップ体から、および回収された鉄屑スクラップが予め定めた規格サイズよりも大きい時に規格サイズよりも小さく加工されることで形成された鉄屑スクラップ体からなり、オークション市場に提供される鉄屑スクラップ形成体および当該鉄屑スクラップ形成体に付与された等級、および鉄スクラップ形成体ごと等級ごとのオークション提示鉄スクラップ形成体総重量を含むオークション提供情報を管理する会員オークション提供業者データ管理手段を備えたオークション提供端末、
鉄スクラップ形成体のオークション市場に参加してオークション応札するオークション応札業者のオークション応札状況を画面表示する会員オークション応札業者データ管理手段を備えたオークション応札端末、
オークションに応札するオークション応札業者に関する会員登録応札業者データを管理し、オークション市場に提供されたオークション提示側データおよびオークション市場に参加し、応札するオークション応札側データを管理し、および落札された時の落札値、落札したオークション応札者を含むオークション成立、および落札されなかった時のオークション不成立を情報含むオークション結果情報を管理するオークションデータ管理手段を備えたオークション管理端末、
が互いに通信手段を介して接続された鉄屑スクラップオークション市場落札システムに用いられる鉄屑スクラップオークション市場落札方法において、
オークションデータ管理端末が、
データベースに、廃品として回収された鉄屑スクラップの種類、鉄屑スクラップ種類ごとに分類された鉄屑スクラップ分類、鉄屑スクラップ分類ごとに予め設定された等級が格納させ、廃品として回収された鉄屑スクラップの種類、鉄屑スクラップ種類ごとに分類された鉄屑スクラップ分類、鉄屑スクラップ分類ごとに予め設定された等級が変更された時に、変更指示に基づいて変更された鉄屑スクラップの種類、鉄屑スクラップ分類、鉄屑スクラップ分類ごとに設定された等級をデータベースに格納し、
多数のオークション提供端末から、オークション提供情報を取得し、鉄屑スクラップ形成体ごと等級ごとに会員鉄屑スクラップ回収・加工業者から提供された鉄屑スクラップ形成体総重量を加算したオークション総重量を算定して、オークション応札端末に提供し、  鉄屑スクラップ形成体総重量を形成する複数の鉄屑スクラップ形成体ごと等級ごとから取得された１つの鉄屑スクラップ形成体および等級を決定し、決定した該等級の鉄屑スクラップ形成体について入札された該等級の鉄屑スクラップ形成体について提示されたその単位当たりの落札希望価格である一番高額指値を画面表示し、一番高額指値に基づいて、一番高額指値と同額を落札価格入札として落札情報を形成し、該落札情報に基づき、二番以下指値の落札希望価格を変更して同額の落札価格を設定し、鉄屑スクラップ形成体ごと等級ごとに当該落札価格で落札するかの判断を求めた画面をオークション応札側端末に画面表示させ、鉄屑スクラップ形成体ごと等級ごとに、該落札価格で、オークション総重量についてオークション成立が確認されたオークション成立総重量を算定し、あるいは不成立が確認されたオークション不成立オークション不成立総重量を算定して、算定されたオークション成立総重量あるいはオークション不成立層重量に基づき、提供されたオークション提供情報ごとのオークション成立総重量あるいはオークション不成立総重量をオークション結果データとして生成して、登録し、
オークション結果データを、オークション提供情報ごとに通信手段を介してオークション提供端末に通知すること、を備えた
オークション市場落札システムに用いられる鉄屑スクラップオークション市場落札方法を提供する。
【００１３】
オークション市場落札システムに用いられる鉄屑スクラップオークション市場落札方法において、オークション提供端末が、鉄屑スクラップ形成体ごと等級ごとにオークション結果データを出力することを特徴とする鉄屑スクラップオークション市場落札システムに用いられる鉄屑スクラップオークション市場落札方法を提供する。
【発明の効果】
【００１４】
本発明は、上述したように、  鉄屑スクラップ形成体総重量を形成する複数の鉄屑スクラップ形成体ごと等級ごとから取得された１つの鉄屑スクラップ形成体および等級を決定し、決定した該等級の鉄屑スクラップ形成体について入札された該等級の鉄屑スクラップ形成体について提示されたその単位当たりの落札希望価格である一番高額指値を画面表示し、一番高額指値に基づいて、一番高額指値と同額を落札価格入札として落札情報を形成し、該落札情報に基づき、二番以下指値の落札希望価格を変更して同額の落札価格を設定し、鉄屑スクラップ形成体ごと等級ごとに当該落札価格で落札するかの判断を求めた画面をオークション応札側端末に画面表示させるようにしているので、集積されて鉄屑スクラップ体とされた当該鉄屑スクラップ形成体について取引を適切、迅速に行うことが出来、要する費用を安価で済み、鉄屑スクラップ回収・加工業者への売り渡し価格、高炉メーカーへの引き渡し価格の形成関係が固定的で、閉鎖的であっとことを変え、開放的にして取引価格の安定化を図り、鉄屑スクラップの再生を活発化し、貴重な資源を十分に活用出来るようにするオークション市場システムを構成することが出来る。
【図面の簡単な説明】
【００１５】
【図１】本発明の実施例の概念を示す概念図。
【図２】図１に記載した図面の一部詳細図。
【図３】図１に記載した図面の他の一部詳細図。
【図４】本発明の実施例の形態を示すブロック図。
【図５】本発明の実施例の情報処理を説明する図。
【図６】オークション落札値適用のフローを示す図。
【図７】オークションスケジュールの１例を示すカレンダー図。
【図８】オークション応札側端末の画面に表示される画像の一例を示す図。
【図９】本発明に実施例のフローを示す図。
【発明を実施するための形態】
【００１６】
以下、本発明の実施例を図面に基づいて説明する。
【００１７】
図１は、本発明の実施例の概念を示す概念図である本発明の実施例の鉄屑スクラップオークション市場落札システム１００を示す。
【００１８】
本実施例で「分割」とは、２つの意味を持って使用される。その一つは、鉄屑スクラップ種類群の各種類である分類された１分類を指す場合であり、他の一つは、分類された１分類の中を更に分割することである。どちらかを使用しているかは、実施例の説明の中で明らかにされる。
【００１９】
鉄屑スクラップオークション市場落札システム１００は、オークション提供側端末１、オークション応札側端末２およびオークションデータ管理端末３から構成され、後述するようにこれらの端末は、インターネットなどの通信手段でもって互いに接続される。
【００２０】
図１に示す例で、鉄屑スクラップは、ビル、橋梁などの建築物解体時に出る鉄骨、船舶、廃棄自動車、家電製品，空き缶、スチール家具などの鉄製品を処理する時に発生する。また、自動車工場、家電製品などの製造メーカーの工場からも発生する。鉄屑スクラップの形状としては、発生した時のそのままの姿で高炉メーカー（鉄鋼メーカーのこと）に持ち込む場合の形状と、運びやすくかつ高炉メーカーの規格の長さに加工された場合の形状とがある。
【００２１】
また、本実施例にあっては、等級ごと鉄屑スクラップ形成体の取引のためにオークション市場２００が形成され、鉄屑スクラップ回収・加工業者５およびオークション応札業者６は、それぞれオークション提供側端末１、オークション応札側端末２およびオークションデータ管理端末３に会員登録され、会員登録データとして端末での検索が可能とされる。
【００２２】
会員登録された鉄屑スクラップ回収・加工業者を会員鉄屑スクラップ回収・加工業者、オークション提供側、会員登録された鉄屑スクラップ買取業者を会員オークション応札業者、オークション応札側と呼ぶ。オークション市場は、特定地区のオークション会場ばかりでなく、インテーネットを介しての任意の箇所からも図面を参照するなどしてオークション以上への参加が可能とされる。
【００２３】
図１において、鉄屑スクラップ回収・加工業者５は、鉄屑スクラップ７を種々の工場、工事現場，関係機関、団体あるいは個人施設から回収する。回収に際しては各種の運搬車８が用いられる。
【００２４】
回収された鉄屑スクラップ７は、自社の敷地内工場に運ばれ、集積され、集積体９とされる。鉄屑スクラップ回収・加工業者５は、回収された鉄屑スクラップを種類別に選別処理して、選別し、集積された鉄屑スクラップ体１１とする。したがって、この状態では鉄屑スクラップ体９の形状は、形が整っていない。
【００２５】
図２に、集積された鉄屑スクラップ体１１の詳細を示す。
【００２６】
図２において、集積された鉄屑スクラップ体１１は、複数の鉄屑スクラップ種類群の各群を構成する鉄屑スクラップ種類ごとに形成される。図２においては、３つの鉄屑スクップ種類群および各鉄屑スクップ種類群を構成する４つの鉄屑スクラップ種類が記載されている。この３つの鉄屑スクップ種類群、４つの鉄屑スクラップ種類に限定する必要はない。図２には、１２個の集積された鉄屑スクラップ体１１が記載されている。
【００２７】
鉄屑スクラップ種類群Ａには，例えば鉄屑スクラップとして価値が高いことでグレードの高い鉄筋、鉄骨、鋼板、Ｈ鋼、シートバイル、金型、アングル、チャンネル形鋼、コラムが包含される。グレードの高さは、過去の取引から取得され得る。
【００２８】
鉄屑スクラップ種類群Ｂには、次のクレーどの配管、足場、くらんぷ、バレテイーナ、グレーチング、ガードレール、番線、支線、ワイヤー、針金部品、釘、ネジ、ボルト、ワッシャー、ビス、階段、鉄製架台、鉄製部品、切断屑、打抜屑、クランク、シャフト、鉄刃、ワイヤーフエンダー、鉄ホイール、ブレーキバンド、チェーンが包含される。
【００２９】
鉄屑スクラップ種類Ｃには、最下位クレードのスチール製品、ロッカー、棚、ドラム缶、自動車ボデイ、亜鉛メッキ鋼板、ダクトが包含される。
【００３０】
鉄屑スクラップ種類は、同質の鋼材が含まれ、群をなし、同一あるいは類似する形態ごとに種類分けされる。例えば、鉄屑スクラップ種類Ａの場合に、鉄筋、鉄骨ごと、鋼板、鉄板、Ｈ鋼ごと、丸管、鋼管ごと等によって分類される。鉄屑スクラップ種類Ｂ、鉄屑スクラップ種類Ｃについても同様である。同質の鋼材は、同様の価格が形成され易く、オークション応札の値段を設定しやすくする。形態は、高炉メーカーの寸法規格に合致させることができ、鋼材の品質と同様に同様の価格が形成され易く、オークション応札の値段を設定しやすくする。また、これらの種類分けにあたっては、過去の実績としての種類別の鋼材売り渡し値段が参照されてよい。これらの情報は、オークション提供側端末１のデータベースに格納される。また、鉄屑スクラップ体１１は、撮影され、画像が取得され、オークション提供側端末１のデータベースに記録される。
【００３１】
各鉄屑スクラップ体１１は、オークション市場への提供に適した形状にするために、切断、プレス等の加工１２がなされる。
【００３２】
オークション市場への提供に適した形状にするために、寸法の長い鉄屑スクラップは切断され、押圧でつぶせる形態の鉄屑スクラップは、つぶされ、一定の容積の直方体とされ、切屑はまとめられて特定容器に収納される。寸法の長い鉄屑スクラップの切断は、高炉メーカーの規格寸法に合わせものとする。この長さにすることによって、運搬上の問題がなくなることになる。
【００３３】
図３に示す形態は、図２に示す形態に対応する。すなわち、集積された鉄屑スクラップ体１１は、そのままの分類を維持した状態で、加工１２され、鉄屑スクラップ形成体１３とされる。集積された鉄屑スクラップ体１１について、鉄屑スクラップ回収・加工業者間の整合を取るために複数の分類とすることが出来る。
【００３４】
図３には、鉄屑スクラップ種類群Ａ、Ｂ、Ｃ群が示され、各種類群は、分類１−４の鉄屑スクラップ形成体で構成されていることを示す。種類１−４で示される鉄屑スクラップ体１１で鉄屑スクラック形成体１２が形成される。鉄屑スクラップ１３は、一定の整った形態を呈してオークション市場に提供され得るものになる。
【００３５】
鉄屑スクラップ体１１、鉄屑スクラップ形成体１３は、撮影され、画像が取得され、関係づけられてオークション提供側端末１のデータベースに記録される。
【００３６】
このようにして形成された鉄屑スクラップ形成体１３は、画像情報と共にオークション市場に、オークションのために提供され、オークション応札側端末２およびオークションデータ管理端末３に画像が提供され得るように準備される。
【００３７】
この提供に際しては、多数の鉄屑スクラップ回収・加工業者５から提供の同質の形態になるグレードが同じ等級の鉄屑スクラップ形成体は集合され、取引上の一つの塊とされる。データ上も一つの塊とされる。この取引上の塊が等級ごと鉄屑スクラップ形成体ごとのオークション総重量となる。このようにして、分類された鉄屑スクラック形成体ごと等級ごと、データと共にオークション市場にオークションとして提供される。
オークション提供の前にあっては、形成された鉄屑スクラップ形成体１３は、工場内の予め決められた場所あるいは倉庫に積み重ねて保管される。
【００３８】
鉄屑スクラップ回収・加工業者５を鉄屑スクラップオークション提供側として、オークション応札者６をオークション応札側として、オークション市場管理者３１をオークション主催者としてオークション市場２００が開設される。オークション市場は特定の箇所に設定される。上述したように、鉄屑スクラップオークション市場落札システム１００は、オークション提供側端末１、オークション応札側端末２およびオークションデータ管理端末３から構成され運用可能とされる。
このオークション市場の開催に際しては、オークション市場管理者３１によって予めスケジュールが決められ、スケジュールおよびオークション市場開設場所を含めてのオークション開催情報がオークション提示側端末およびオークション応札側端末に通知される。
【００３９】
オークション開催情報が通知されると、オークション応札者は、事前に配布された鉄屑スクラップ形成体情報を参照しながら、オークションに先だって保管された鉄屑スクラップ形成体１３の品質、鉄屑スクラップ種類すなわち鉄屑スクラップ形成体形態等を事前調査することが出来、鉄屑スクラップ体１１、および鉄屑スクラップ形成体１３の画像を事前調査することが出来る。
【００４０】
設定された日時に、オークション市場管理者をオークション開催者として、予め定められた敷地内にオークション市場２００が開催される。オークションは、このように鉄屑スクラップ回収・加工業者５をオークション提示側、オークション応札者６を応札側、オークション市場管理者３１をオークション主催者として構成される。
【００４１】
オークションの開催に伴うオークション情報は、オークションデータ管理端末３に登録され、オークション提供側端末１、オークション応札側端末２に通知される。各端末は、画面表示手段を備えて、形成された情報を、オークション状況を示す画像として表示出来る。特に、オークション管理端末３は、オークション市場全体を統括するサーバとしての機能を有しており、毎日の鉄屑スクラップ形成体ごと等級ごとの価格等についてのデータベースを備える。
【００４２】
図４は、鉄屑スクラップオークション市場落札システム１００をブロックで示す。
【００４３】
図４において、上述したように、鉄屑スクラップオークション市場落札システム１００は、オークション提供側端末１、オークション応札側端末２およびオークションデータ管理端末３から構成され、これらの端末は、インターネットなどの通信手段２０でもって互いに接続される。
【００４４】
オークション提供側端末１は、鉄屑スクラップ回収・加工業者に関する会員登録データを管理する会員鉄屑スクラップ回収・加工業者データ管理手段２１を備える。鉄屑スクラップ回収・加工業者に関するデータは、オークション提供側端末１のデータベースに格納される。鉄屑スクラップ回収・加工業者データ管理手段２１には、会員登録データ以外にも、鉄屑スクラップデータ、鉄屑スクラップ回収・加工業者から提示された最低落札価格情報が格納され管理される。  また、会員鉄屑スクラップ回収・加工業者５の回収した鉄屑スクラップ７が加工されて一定マス形状に形成された鉄屑スクラップ形成体１３、および会員鉄屑スクラップ回収・加工業者ＩＤ情報、およびオークション市場に提供するその他のオークション提供情報を格納している。
【００４５】
このように、オークション提供側端末１は、  回収された鉄屑スクラップに関する情報、予め鉄屑スクラップ回収・加工業者５によって鉄屑スクラップ形成体１２について設定された最低落札価格、および鉄屑回収・加工業者に関する会員登録データを管理する会員鉄屑スクラップ回収・加工業者データ管理手段２１を備え、会員鉄屑スクラップ回収・加工業者データ管理手段２１は、加工されて形成された鉄屑スクラップ形成体１３および鉄屑スクラップ形成体１３に付与された会員鉄屑スクラップ回収・加工業者ＩＤを含む鉄屑スクラップ形成体情報、および鉄屑スクラップ形成体のオークション開催場所、オークション提示古紙プレス体重量およびオークション開催依頼を含むオークション市場提供情報を管理する。
【００４６】
オークション応札側端末２は、鉄屑スクラップオークション市場に参加してオークション応札価格の提示を行うオークション応札者によって操作される端末であり、オークション状況が時々刻々に画面情報としてオークション管理端末３から提供され、画面に表示される。このような機能を実行するための会員オークション応札業者データ管理手段２３を備える。
【００４７】
オークション管理端末３は、鉄屑スクラップ形成体を形成する会員鉄屑スクラップ回収・加工業者に関する会員登録データおよび鉄屑スクラップ形成体のオークション市場に参加してオークション応札するオークション応札者に関する会員登録データを管理し、オークション開催を管理し、オークション市場に提供された鉄屑スクラップ形成体のオークション開催情報を含むオークション提示側データおよびオークション市場に参加し、応札するオークション応札側データを管理し、および落札された時の落札値、落札したオークション応札者を含むオークション成立、および落札されなかった時のオークション不成立を情報含むオークション結果情報を管理するオークションデータ管理手段を備えたオークション管理端末２４を備える。
【００４８】
オークションデータ管理端末３は、データベースに、廃品として回収された鉄屑スクラップの種類、鉄屑スクラップ種類ごとに分類された鉄屑スクラップ分類、鉄屑スクラップ分類ごとに予め設定された等級が格納させ、廃品として回収された鉄屑スクラップの種類、鉄屑スクラップ種類ごとに分類された鉄屑スクラップ分類、鉄屑スクラップ分類ごとに予め設定された等級が変更された時に、変更指示に基づいて変更された鉄屑スクラップの種類、鉄屑スクラップ分類、鉄屑スクラップ分類ごとに設定された等級をデータベースに格納する。このような変更は、予めオークション提示側または/およびオークション提示側からオークションデータ管理端末３に伝えられる。
【００４９】
オークションデータ管理手段２４は、会員鉄屑スクラップ回収・加工業者データ管理手段２２から予め設定された最低落札価格情報を取得することが出来る。
【００５０】
オークションデータ管理手段２４は、オークション提供側端末１の会員鉄屑スクラップ回収・加工業者管理手段２２から、オークション提供情報を取得し、取得されたオークション提供情報、オークション市場に提供される鉄屑スクラップ形成体の鉄屑スクラップ形成体ＩＤに基づいて、各種の演算処理を行う。
【００５１】
多数の会員鉄屑スクラップ回収・加工業者からの鉄屑スクラップ形成体１３ごとに集合・集積したオークション総重量を算出する。集合としたのは、インターネットを介しての集合も含むことを示すためである。
【００５２】
オークションデータ管理手段２４は、オークション応札者が提示したオークション総重量についての分類ごとに入札重量およびその指値を取得する。これらの情報は、オークション応札端末２から電子情報として入手され、またオークション応札者の指値掛け声を開催担当の者が端末キーを打って入力することで入手される。これらの指値によって、オークション市場管理者によって当該オークションの落札価格が設定され、オークション落札価格は電子情報として確認される。また、オークション管理者によって、分割された等級ごと鉄屑スクラップ形成体の落札された重量が決定され、落札重量が電子情報として確認される。勿論、オークション市場管理者による人為的な設定、決定をオークション管理端末３で自動的に行うようにしてもよい。いずれにしても、オークション落札価格、落札重量が確認され、電子情報化され、画面表示が可能とされ、図３に示すように、次のステップで利用しやすいデータとされる。
【００５３】
確認されたオークション成立、または確認されたオークション不成立を含んだオークション結果データが生成されて、データベースである格納手段に登録される。
【００５４】
オークションデータ管理手段２４は、オークション結果データを、鉄屑スクラップ形成体情報に付加して通信手段２０を介してオークション提供側端末１に通知する。
【００５５】
オークション提供側端末２は、鉄屑スクラップ回収・加工業者ごと鉄屑スクラップ形成体ごとにオークション結果データを出力する。
【００５６】
更に、このように、オークションデータ管理手段２４は、またオークション提供側端末１の鉄屑回収・加工業者データ管理手段２１から、最低落札価格情報を取得し、最低落札価格を上回ることで成立し、確認されたオークション成立、または最低価格を下回ることで不成立となり、確認されたオークション不成立を含んだオークション結果データを生成して、登録する。
【００５７】
更に、オークションデータ管理手段２４は、オークション不成立確認回収を含むオークション結果データを、鉄屑スクラップ形成体情報に付加して通信手段を介してオークション端末の会員鉄屑スクラップ回収・加工業者データ管理手段２１に通知する。そして、オークション提供側端末１が、鉄屑スクラップ回収・加工業者ごとにオークション結果データをその出力手段から出力することを行う。
【００５８】
工場敷地内に保管していた鉄屑スクラップ形成体１３は、オークションのためにオークション開催敷地に搬送される。オークション不成立確認回収を含むオークション結果データが、鉄屑スクラップ形成体情報に付加して通信手段２０を介してオークション端末の会員鉄屑回収・加工業者データ管理手段２１に通知されることで、会員鉄屑スクラップ回収・加工業者７が最低落札価格を再考する材料が提供されることになる。
【００５９】
オークションが成立すると、成立による契約に従って鉄屑スクラップ形成体１３は、オークション応札業者６によって運び出され、請求書が鉄屑スクラップ回収・加工業者５から通信手段２０を介してなさることになる。
【００６０】
図５は、本発明の実施例の情報処理を説明する図で、オークション市場での落札方法を示す。図５において、会員プレス加工業者甲、会員プレス加工業者乙および会員鉄屑回収・加工業者丙の３業者が一体として鉄屑スクラップ形成体のオークション提供側であることを示す。
【００６１】
オークション提供の鉄屑スクラップ形成体は、図３に示すように、４つの分類になる鉄屑スクラップ形成体である。
オークション応札者（Ｉ）〜（IV）の４名が等級１の分類１−分類４の鉄屑スクラップ形成体に応札した。この図において、鉄屑スクラップ形成体ごと等級ごとのオークション総重量は、典型的な例では、オークション会場に提供、展示された集積された鉄屑スクラップ形成体を示すが、これに限定されず、インテーネット上で集積され情報化された鉄屑スクラップ形成体の重量を含む。なお、重量に匹敵する計数値も等価重量として扱うものとする。
【００６２】
図５において、会員鉄屑スクラップ回収・加工業者甲、会員鉄屑スクラップ回収・加工業者乙および会員鉄屑スクラップ回収・加工業者丙は、それぞれ鉄屑スクラップ形成体（Ａ）の鉄屑スクラップ形成体をオークション市場に提供し、これらの鉄屑スクラップ形成体は種類ごと等級ごとに集合され、鉄屑スクラップ形成体ごと等級ごとのオークション総重量が算出される。
したがって、一つのオークション総重量の塊は、鉄屑スクラップ形成体ごと等級ごとの種類だけ形成される。このような塊が何個形成されるかは、当日のオークション市場の規模によって定まる。
【００６３】
オークション市場の準備が整うとオークションが開始される。
【００６４】
図６は、オークション進行フローを示す。
【００６５】
多数のオークション提供端末から、オークション提供情報を取得し、鉄屑スクラップ形成体ごと等級ごとに会員鉄屑スクラップ回収・加工業者から提供された鉄屑スクラップ形成体総重量を加算したオークション総重量を算定して、オークション応札端末に提供する。この状態において、図６（ａ）に示す画像がオークション応札側端末に表示される。
【００６６】
オークション主催者によって、鉄屑スクラップ形成体総重量を形成する鉄屑スクラップ形成体ごと等級ごとに同時同時進行の形でオークション進行が行われる。図６（ｂ）がこの状況を示し、網掛けがされた等級の鉄屑スクラップ形成体がこの鉄屑スクラップ種類群分類の鉄屑スクラップ形成体の中で一番高額指値がオークション応札者（Ｉ）によってなされたことを示す。この鉄屑スクラップ体が選択された、すなわち鉄屑スクラップ形成体・等級の取得された鉄屑スクラップ形成体となる。この等級の鉄屑スクラップ形成体が取得され、決定されることで、一番高額指値が分類２−４の鉄屑スクラップ形成体についても提示され、その単位当たりの落札価格が画面表示される。図６（ｃ）がこの状況を示し、網掛けがされた等級の鉄屑スクラップ形成体が適用された鉄屑スクラップ体、すなわちオークション落札価格適用の鉄屑スクラップ形成体となる。
【００６７】
一番高額指値に基づいて、一番高額指値と同額を落札価格入札として落札情報を形成し、該落札情報に基づき、二番以下指値の落札希望価格を変更して同額の落札価格を設定し、オークション適用の鉄屑スクラップ形成体について、鉄屑スクラップ形成体ごと等級ごとに当該落札価格で落札するかの判断を求めた画面をオークション応札側端末に画面表示させ、鉄屑スクラップ形成体ごと等級ごとに、該落札価格で、オークション総重量についてオークション成立が確認されたオークション成立総重量を算定し、あるいは不成立が確認されたオークション不成立オークション不成立総重量を算定して、算定されたオークション成立総重量あるいはオークション不成立層重量に基づき、提供されたオークション提供情報ごとのオークション成立総重量あるいはオークション不成立総重量をオークション結果データとして生成して、登録する。
【００６８】
オークション応札者（Ｉ）〜（IV）は、分類された１つの鉄屑スクラップ形成体および等級のオークション総重量ついて応札を行うことが出来る。オークション総重量が多額で予め決めた量を超えるような時には、各分類について分割した量であってもよい。図示の例では、分類１のオークション総重量は１０万トンで、この１０万トンについて一番高額指値２６．０円/ｋｇがなられ，分類２については一番高額指値２５．７円/ｋｇ, 分類３については一番高額指値２５，８円/ｋｇ，分類４については一番高額指値２５，９円/ｋｇがなされた。鉄屑スクラップ種類群Ａについて、一番高額落札価格は、２６．０円/ｋｇということである、この一番高額落札価格が落札価格となる。これに伴って、オークション応札者(Ｉ)が応札した分類１の１０万トンの鉄屑スクラップ形成体が落札されることがオークション管理者によって宣告され、電子化される。この宣告は、人為的であっても端末に組み込んだプログラムによってなされてもよい。いずれにしても落札価格が確認され、確認落札価格が電子化される。電子化された確認落札価格は、オークション管理端末３の画面に表示され、オークション管理端末３からオークション応札端末２およびオークション提供端末１に送信され、これらの端末の画面上に表示可能とされる。これに伴って、オークション管理端末３は、オークション応札者(II）〜（IV）の指値は端末に組み込んだプログラムによって自動的にオークション応札者（Ｉ）の指値で、分類２−４の鉄屑スクラップ形成体の落札価格を２６．０円/ｋｇに変更し、変更されたことを全員のオークション応札端末２へ通知し、オークション適用の鉄屑スクラップ形成体についての変更落札価格として双方の画面に表示させる。この時点では、自己が提示した応札価格とこの変更価格が双方画面表示され、他のオークション応札者は、落札価格、差価格を知ることになる。このようにして、落札情報が通知される。応札重量についても同様である。このように、指値２６．０円/ｋｇが変更価格とされ、オークション応札端末２の画面に表示されることになる。先にも説明したが、このオークション応札端末２は、オークション市場会場の端末ばかりでなく、インターネット上に開設された会員オークション応札者の端末が含まれる。
【００６９】
この画面への表示に当たっては、変更価格２６．０円/ｋｇで、オークション適用の鉄屑スクラップ形成体について落札するかどうかの問い合わせがオークション管理端末３からなされる。また、オークション管理端末３から判断が求められ画面が送信され表示される。図示の例では、画面を介して同じ等級の分類２、３のそれぞれについて応札者がこの変更価格で落札したことを示し、分類４については、落札が成立せず、オークション不成立であったことを示す。したがって、分類１−３について落札成立し、分類４について落札不成立で、オークション提示側、すなわち鉄屑スクラップ回収・加工業者の持ち帰りとなり、次回のオークションに提供されることになる。
【００７０】
この例では、分類１−４のすべてについてオークションを開催して一番高い指値を取得して基準となる分類を分類１であることの決定を行っているが、オークション市場管理者が予め定められたルールに従って４分類の中の特定の分類について予め定めておき、この分類を選択されたこの等級の鉄屑スクラップ形成体に決定し、この決定された分類の、例えば分類１についての鉄屑スクラップ形成体についてオークションを行い、一番高い指値による落札価格を、取得し、分類２−４の鉄屑スクラップ形成体について上述したと同じ手法にて当該落札価格を決め、オークション応札端末２に提示するようにしてもよい。このようにして、鉄屑スクラップ形成体総重量を形成する複数の鉄屑スクラップ形成体ごと等級ごとから取得された１つの鉄屑スクラップ形成体および等級を決定がなされる。
【００７１】
オークションは、等級ごと選択された鉄屑スクラップ形成体についてオークション総重量の塊ごとに連続してなされる。
【００７２】
オークション結果データは、オークション管理端末に登録されると共に、オークション応札端末２およびオークション提供端末１に送信される。
【００７３】
図７は、オークション市場開催の予定状況を示すカレンダーである。オークション市場は、年間を通してのスケジュールとし、事前に開催を確認するようにする。
【００７４】
このようにして、当該鉄屑スクラップ形成体についてオークション取引をシステマテックに、適切、迅速に行うことが出来、要する費用が安価で済み、鉄屑スクラップ回収・加工業者と鉄屑スクラップ形成体を購入しようとする業者間の取引関係を固定せず、開放的にして取引価格の安定化を図り、鉄屑スクラップ回収・加工業者が効率よく回収作業に遂行することが出来るようにして、鉄屑スクラップの再生を活発化し、貴重な資源を十分に活用出来るようにするオークション市場システムが構築される。オークション市場での落札がなされず、オークション不成立の場合は後日のオークションでの落札が図られる。    図８は、オークション時にオークション応札業者の端末３０（図１参照）に提供される画像データである。この画面４１には、応札状況画面表示領域４２が設定され、この応札状況画面表示領域４２に応札者、分類、入札重量および指値が表示される応札情報表示領域４３およびオークション応札者自身の応札状況を示す自身応札情報表示領域４４が設定され、入札重量、指値、変更価格、落札重量が表示される。鉄屑スクラップ形成体の画像が画像表示領域４２に表示されてもよい。画面にオークション価格を表示し、表示された応札価格をオークションデータ管理手段２４に通知することで応札するようにしてもよい。このようにすることでより一層システム化される。この画面を使用してのオークション管理端末３との通信がなされる。
【００７５】
図９は、本発明の実施例のフローを示す。
【００７６】
図９において、オークション管理者はデータベース内容を変更してオークション管理端末に入力して、データベースデータを変更する。（Ｓ１）
変更後、データベースに、廃品として回収された鉄屑スクラップの種類、鉄屑スクラップ種類ごとに分類された鉄屑スクラップ分類、鉄屑スクラップ分類ごとに予め設定された等級が格納され、また鉄屑スクラップについて高炉メーカーに納品するときの規格サイズが格納される。
【００７７】
鉄屑スクラップ回収・加工業者データを取得する。また、最低落札価格が取得される。（Ｓ２）
鉄屑スクラップ回収・加工業者は、鉄屑スクラップの選別を種類ごとに行う。これによって、選別種類別データを取得し、分類する。（Ｓ３）
鉄屑スクラップ回収・加工業者は、オークション市場への提供のために、鉄屑スクラップ形成体データを取得する。オークション提供通知と鉄屑スクラップ形成体情報をオークション管理端末３に提供し、最低落札価格の通知を行う。（Ｓ４）
次のステップで、オークション主催管理者は、鉄屑スクラップ形成体情報を入手し、オークション提供側およびオークション応札側の意見を参照しつつ、オークション管理端末３をオークション支援の道具と使用して、等級ごとに、オークション市場を開催する。（Ｓ５）オークション応札端末２にオークション状況情報を通知する。（Ｓ７）上述した演算を行い、情報の入手を図り、画面に表示する。多数の鉄屑スクラップ総重量を基に１つのまとまった塊としてのオークション総重量を算出し（演算処理１）、オークション応札者から、このオークション総重量を分類した１つの鉄屑スクラップ形成体およびその等級についての指値と入札重量を取得し、落札価格の決定確認、電子化を行う。落札価格の決定確認としたのは、落札価格の決定は、原則的にオークション管理者によってなされることによる。落札された価格は画面に表示され、確認される。この落札価格の決定確認がなされると同一等級の他の分類の鉄屑スクラップ形成体の指値が自動的に落札価格に変更され、変更価格として各オークション応札端末２に画面表示される。（演算処理２）他の分類応札のオークション応札端末から変更価格の受け入れがなされると、画面を介してオークション端末３に通知され、落札価格での落札がなされ、落札価格での落札状況が集計される。オークション結果データが生成され、登録され、オークション提示側端末１、オークション応札端末２に通知される。
【００７８】
オークション提供側端末１は、オークション結果を受信し、鉄屑スクラップ形成体ごと等級ごとのオークション結果にして、オークション結果を出力し、鉄屑スクラップ回収・加工業者に、提供した鉄屑スクラップの量に対応した電子データあるいは紙でのデータとして通知する。（Ｓ６）
以上のようにして、多数のオークション提供端末から、オークション提供情報を取得し、鉄屑スクラップ形成体ごとに会員鉄屑スクラップ回収・加工業者から提供された鉄屑スクラップ形成体総重量を加算したオークション総重量の算定がなされる。オークション総重量は、オークション応札端末に提供される。入札された鉄屑スクラップ形成体ごとにオークション総重量分割されて提示されたその単位当たりの落札希望価格である指値および指値落札希望重量鉄屑スクラップ形成体が画面表示される。指値が予め設定された落札最低価格よりも高い一番高額指値に基づいて、一番高額指値と同額を落札価格入札としておよび指値落札希望重量をその落札重量として確認して落札情報を形成し、該落札情報に基づき、二番以下指値の落札希望価格を変更して同額の落札価格が設定される。分割されて提示された落札希望重量古紙プレス体を当該落札価格で落札するかの判断を求めた画面をオークション応札側端末に画面表示させる。鉄屑スクラップ形成体形成形態ごとに、該落札価格で、分割されて提示された落札希望重量に基づき、オークション成立が確認されたオークション成立総重量を算定し、あるいは不成立が確認されたオークション不成立オークション不成立総重量を算定して、算定されたオークション成立総重量あるいはオークション不成立層重量に基づき、提供されたオークション提供情報ごとのオークション成立総重量あるいはオークション不成立総重量をオークションオークション結果データとして生成する。
【００７９】
オークション市場管理者はオークション開催を決定し、開催通知すると共に開催の準備を行う。いずれの応札業者に通知するかは、予め構成されたデータベースのデータを参照して自動的に行う。これらは通知場としてデータ化される。
【００８０】
カレンダーに記載された通りに開催されるとの開催通知を受け取ったオークション応札業者は、敷地内保管の鉄屑スクラップ形成体の検分を行って品質の確認を行うことが出来る。これによって、オークション応札業者は、オークションに受けての準備を行い、保管プレス体オークション前下見データの取得を行うことができ、詳細なる鉄屑スクラップ形成体情報を取得する。
【００８１】
オークションが、オークション市場管理者管理の下に、オークション市場で開催される。オークションデータが取得され、オークション結果データが登録され、関係先に送信される。関係先にはオークション提示側端末１、オークション応札側端末２が含まれる。オークション結果に基づく契約の履行がなされることになる。オークション不成立の場合には、古紙プレス体の敷地内保管に戻って、再度オークションに提示がなされることになる。オークション不成立回収は、オークション提示側の端末１に通信され、鉄屑スクラップ回収・加工業者にこの端末からの出力データが知らされることになる。これによって、鉄屑スクラップ回収・加工業者は最低落札価格を維持するか、減額するかの見極めをすることになる。このようにして、鉄屑スクラップ回収・加工業者は、何度でもオークションに大きな費用負担がなくオークション提示することが出来る。
【符号の説明】
【００８２】
１…オークション提供側端末、２…オークション応札側端末、３…オークション管理端末、５…鉄屑スクラップ回収・加工業者、６…オークション市場管理者、７…鉄屑スクラップ、９…集積された鉄屑スクラップ、１１…鉄屑スクラップ体、１２…加工、１３…鉄屑スクラップ形成体、２１…加工業者データ管理手段、２３…会員オークション応札業者管理手段、２４…オークションデータ管理手段、１００…鉄屑スクラップオークション市場落札システム、２００…オークション市場。
【図１】
2014229257.tif 000003
【図２】
2014229257.tif 000004
【図３】
2014229257.tif 000005
【図４】
2014229257.tif 000006
【図５】
2014229257.tif 000007
【図６】
2014229257.tif 000008
【図７】
2014229257.tif 000009
【図８】
2014229257.tif 000010
【図９】
2014229257.tif 000011